【手続補正書】
【提出日】平成22年7月23日(2010.7.23)
【手続補正１】
【補正対象書類名】特許請求の範囲
【補正対象項目名】全文
【補正方法】変更
【補正の内容】
【特許請求の範囲】
【請求項１】
リザーバから作動液が導入され内部に圧力室を有するシリンダ本体と、前記リザーバから前記圧力室に作動液を補給する補給通路と、前記シリンダ本体内に摺動自在に嵌合されて前記圧力室を画成するとともに摺動位置に応じて前記補給通路を連通、遮断するピストンと、前記補給通路をバイパスして前記リザーバと前記圧力室を連通し、前記圧力室内の圧力が前記リザーバの圧力よりも低いときに開弁して作動液を前記リザーバから前記圧力室へ流通させる逆止弁を有するバイパス通路と、を備えたマスタシリンダにおいて、
前記バイパス通路の前記逆止弁の上流側および下流側に、前記逆止弁への異物の侵入を防止するフィルタがそれぞれ設けられていることを特徴とするマスタシリンダ。
【請求項２】
前記バイパス通路は、前記逆止弁が設けられる弁室と、該弁室と前記リザーバを連通するリザーバ通路と、前記弁室と前記圧力室を連通する圧力室通路とを有し、前記弁室は、前記シリンダ本体に一体に形成された凹部と、該凹部を閉塞する蓋部材とにより構成され、さらに、前記リザーバと逆止弁との間および前記圧力室と逆止弁との間に、該逆止弁への異物の侵入を防止するフィルタがそれぞれ設けられていることを特徴とする請求項１に記載のマスタシリンダ。
【請求項３】
前記弁室には、弁座を有するバルブケースが配置され、該バルブケース内に前記逆止弁の弁体が前記弁座に離着座可能に収容され、該バルブケースには、前記逆止弁の上流側および下流側から該逆止弁への異物の侵入を防止するフィルタがそれぞれ設けられていることを特徴とする請求項２に記載のマスタシリンダ。
【請求項４】
前記逆止弁は、弁体が付勢手段により弁座に向けて付勢されるリフト弁であり、前記弁体は前記弁座に離着座する弁部と摺動部とを有し、前記バイパス通路内には、前記摺動部を摺動可能に案内するガイド部が設けられ、前記フィルタの目は、前記摺動部と前記ガイド部の間の摺動隙間よりも小さく設定されていることを特徴とする請求項１乃至３のいずれかに記載のマスタシリンダ。
【請求項５】
前記弁体の摺動部は、摺動方向に離間した２つのフランジ部を備え、前記フランジ部には作動液の流通を許す通路が設けられていることを特徴とする請求項３または４に記載のマスタシリンダ。
【請求項６】
前記弁体の弁部は、前記摺動部と一体の弁部本体と、これに取り付けられて前記弁座に離接するゴム製の弁シートを有し、該弁シートは、所定以上の圧力で前記弁座に押圧されたときに前記弁体の摺動方向に圧縮され、前記弁体の弁部本体は、このとき前記弁座に当接することを特徴とする請求項３乃至５のいずれかに記載のマスタシリンダ。
【請求項７】
前記弁室の前記凹部は、前記シリンダ本体に一体に形成された底面と該底面を取り囲む側壁とを備えてなり、前記フィルタは、前記弁室内に収容されてなることを特徴とする請求項２または３に記載のマスタシリンダ。
【請求項８】
前記バルブケースの外周が前記蓋部材の内周に嵌合され、前記バルブケースの内側と前記蓋部材で形成される空間に前記逆止弁の弁体が収容され、前記蓋部材の外周が前記弁室の内周にシール状態で嵌合されていることを特徴とする請求項３に記載のマスタシリンダ。
【請求項９】
前記２つのフィルタは前記バルブケースの外側領域に配置されていることを特徴とする請求項３に記載のマスタシリンダ。
【請求項１０】
前記２つのフィルタのうちの一方のフィルタは筒状に形成され、前記バルブケースの外側を覆うように前記蓋部材とシリンダ本体の間に配置されていることを特徴とする請求項３、８、９のいずれかに記載のマスタシリンダ。
【請求項１１】
前記一方のフィルタの軸方向の両端には環状のリップ部が設けられ、該リップ部が前記蓋部材と前記シリンダ本体の間をシールすることを特徴とする請求項１０に記載のマスタシリンダ。
【請求項１２】
前記バルブケースの軸方向の一端側に前記一方のフィルタが当接する前記蓋部材が設けられ、前記バルブケースの軸方向の他端側に前記一方のフィルタの内径よりも外径が大きい環状シール部材が設けられていることを特徴とする請求項１０に記載のマスタシリンダ。
【請求項１３】
前記２つのフィルタのうちの他方のフィルタは有底円筒状に形成され、開口側の端部が前記バルブケースに固着されていることを特徴とする請求項３、８乃至１２のいずれかに記載のマスタシリンダ。
【手続補正２】
【補正対象書類名】明細書
【補正対象項目名】０００８
【補正方法】変更
【補正の内容】
【０００８】
請求項２に記載の発明は、請求項１に記載のマスタシリンダにおいて、前記バイパス通路は、前記逆止弁が設けられる弁室と、該弁室と前記リザーバを連通するリザーバ通路と、前記弁室と前記圧力室を連通する圧力室通路とを有し、前記弁室は、前記シリンダ本体に一体に形成された凹部と、該凹部を閉塞する蓋部材とにより構成され、さらに、前記リザーバと逆止弁との間および前記圧力室と逆止弁との間に、該逆止弁への異物の侵入を防止するフィルタがそれぞれ設けられていることを特徴とする。
【手続補正３】
【補正対象書類名】明細書
【補正対象項目名】０００９
【補正方法】変更
【補正の内容】
【０００９】
請求項３に記載の発明は、請求項２に記載のマスタシリンダにおいて、前記弁室には、弁座を有するバルブケースが配置され、該バルブケース内に前記逆止弁の弁体が前記弁座に離着座可能に収容され、該バルブケースには、前記逆止弁の上流側および下流側から該逆止弁への異物の侵入を防止するフィルタがそれぞれ設けられていることを特徴とする。
【手続補正４】
【補正対象書類名】明細書
【補正対象項目名】００１０
【補正方法】変更
【補正の内容】
【００１０】
請求項４に記載の発明は、請求項１乃至３のいずれかに記載のマスタシリンダにおいて、前記逆止弁は、弁体が付勢手段により弁座に向けて付勢されるリフト弁であり、前記弁体は前記弁座に離着座する弁部と摺動部とを有し、前記バイパス通路内には、前記摺動部を摺動可能に案内するガイド部が設けられ、前記フィルタの目は、前記摺動部と前記ガイド部の間の摺動隙間よりも小さく設定されていることを特徴とする。
【手続補正５】
【補正対象書類名】明細書
【補正対象項目名】００１１
【補正方法】変更
【補正の内容】
【００１１】
請求項５に記載の発明は、請求項３または４に記載のマスタシリンダにおいて、前記弁体の摺動部は、摺動方向に離間した２つのフランジ部を備え、前記フランジ部には作動液の流通を許す通路が設けられていることを特徴とする。
【手続補正６】
【補正対象書類名】明細書
【補正対象項目名】００１２
【補正方法】変更
【補正の内容】
【００１２】
請求項６に記載の発明は、請求項３乃至５のいずれかに記載のマスタシリンダにおいて、前記弁体の弁部は、前記摺動部と一体の弁部本体と、これに取り付けられて前記弁座に離接するゴム製の弁シートを有し、該弁シートは、所定以上の圧力で前記弁座に押圧されたときに前記弁体の摺動方向に圧縮され、前記弁体の弁部本体は、このとき前記弁座に当接することを特徴とする。
【手続補正７】
【補正対象書類名】明細書
【補正対象項目名】００１３
【補正方法】変更
【補正の内容】
【００１３】
請求項７に記載の発明は、請求項２または３に記載のマスタシリンダにおいて、前記弁室の前記凹部は、前記シリンダ本体に一体に形成された底面と該底面を取り囲む側壁とを備えてなり、前記フィルタは、前記弁室内に収容されてなることを特徴とする。
【手続補正８】
【補正対象書類名】明細書
【補正対象項目名】００１４
【補正方法】変更
【補正の内容】
【００１４】
請求項８に記載の発明は、請求項３に記載のマスタシリンダにおいて、前記バルブケースの外周が前記蓋部材の内周に嵌合され、前記バルブケースの内側と前記蓋部材で形成される空間に前記逆止弁の弁体が収容され、前記蓋部材の外周が前記弁室の内周にシール状態で嵌合されていることを特徴とする。
【手続補正９】
【補正対象書類名】明細書
【補正対象項目名】００１５
【補正方法】変更
【補正の内容】
【００１５】
請求項９に記載の発明は、請求項３に記載のマスタシリンダにおいて、前記２つのフィルタは前記バルブケースの外側領域に配置されていることを特徴とする。
【手続補正１０】
【補正対象書類名】明細書
【補正対象項目名】００１６
【補正方法】変更
【補正の内容】
【００１６】
請求項１０に記載の発明は、請求項３、８、９のいずれかに記載のマスタシリンダにおいて、前記２つのフィルタのうちの一方のフィルタは筒状に形成され、前記バルブケースの外側を覆うように前記蓋部材とシリンダ本体の間に配置されていることを特徴とする。
【手続補正１１】
【補正対象書類名】明細書
【補正対象項目名】００１７
【補正方法】変更
【補正の内容】
【００１７】
請求項１１に記載の発明は、請求項１０に記載のマスタシリンダにおいて、前記一方のフィルタの軸方向の両端には環状のリップ部が設けられ、該リップ部が前記蓋部材と前記シリンダ本体の間をシールすることを特徴とする。
【手続補正１２】
【補正対象書類名】明細書
【補正対象項目名】００１８
【補正方法】変更
【補正の内容】
【００１８】
請求項１２に記載の発明は、請求項１０に記載のマスタシリンダにおいて、前記バルブケースの軸方向の一端側に前記一方のフィルタが当接する前記蓋部材が設けられ、前記バルブケースの軸方向の他端側に前記一方のフィルタの内径よりも外径が大きい環状シール部材が設けられていることを特徴とする。
【手続補正１３】
【補正対象書類名】明細書
【補正対象項目名】００１９
【補正方法】変更
【補正の内容】
【００１９】
請求項１３に記載の発明は、請求項３、８乃至１２のいずれかに記載のマスタシリンダにおいて、前記２つのフィルタのうちの他方のフィルタは有底円筒状に形成され、開口側の端部が前記バルブケースに固着されていることを特徴とする。
【手続補正１４】
【補正対象書類名】明細書
【補正対象項目名】００２０
【補正方法】削除
【補正の内容】
【手続補正１５】
【補正対象書類名】明細書
【補正対象項目名】００２１
【補正方法】削除
【補正の内容】
【手続補正１６】
【補正対象書類名】明細書
【補正対象項目名】００２２
【補正方法】削除
【補正の内容】
【手続補正１７】
【補正対象書類名】明細書
【補正対象項目名】００２３
【補正方法】削除
【補正の内容】
【手続補正１８】
【補正対象書類名】明細書
【補正対象項目名】００２４
【補正方法】削除
【補正の内容】
【手続補正１９】
【補正対象書類名】明細書
【補正対象項目名】００２５
【補正方法】削除
【補正の内容】
【手続補正２０】
【補正対象書類名】明細書
【補正対象項目名】００２６
【補正方法】削除
【補正の内容】